(57)【特許請求の範囲】
【請求項１】
シリンダ（21）と、該シリンダ（21）の内部を偏心回転し且つ上記シリンダ（21）との間に３室以上の環状の圧縮室（23a，…）を径方向に形成する環状のピストン（22）と上記各圧縮室（23a，…）を吸入側と吐出側に区画するブレード（24）とを有する圧縮機構（20）を備えた回転式圧縮機であって、
上記圧縮機構（20）は、最内周に位置する第１の圧縮室（23a）に連通する第１の吐出ポート（P11）を有する第１の圧縮部（C1）と、上記第１の圧縮室（23a）の外側に隣接する第２の圧縮室（23b）に連通する第２の吐出ポート（P12）を有する第２の圧縮部（C2）と、上記第２の圧縮室（23b）の外側に隣接する第３の圧縮室（23c）に連通する第３の吐出ポート（P13）を有する第３の圧縮部（C3）とを少なくとも備え、
上記第１の吐出ポート（P11）および第２の吐出ポート（P12）の一方と上記第３の吐出ポート（P13）とがブレード（24）と平行な直線上に配置されてポート列（90）が形成され、
上記第１の吐出ポート（P11）および第２の吐出ポート（P12）の他方は、上記ブレード（24）から上記ポート列（90）より離れた箇所に位置する変位ポートに構成され、
上記変位ポート（P11又はP12）を有する圧縮部（C1又はC2）は、上記ピストン（22）が変位ポート（P11又はP12）を閉じ切った後に形成される圧縮室（23a又は23b）と上記変位ポート（P11又はP12）とを連通させる連通部（91）を備えている
ことを特徴とする回転式圧縮機。
【請求項２】
請求項１において、
上記連通部（91）は、少なくとも上記ピストン（22）が変位ポート（P11又はP12）を閉じ切る閉切位置から上記ブレード（24）に向かって延びる切欠部で構成されている
ことを特徴とする回転式圧縮機。
【請求項３】
請求項２において、
上記連通部（91）は、上記ピストン（22）が少なくとも変位ポート（P11又はP12）の閉切位置から圧縮室（23a又は23b）の容量が最小となる上死点まで移動する間において上記変位ポート（P11又はP12）と上記圧縮室（23a又は23b）とを連通させるように構成されている
ことを特徴とする回転式圧縮機。
【請求項４】
請求項２または３において、
上記連通部（91）は、上記変位ポート（P11又はP12）を有する圧縮部（C1又はC2）を構成するシリンダ（21）に形成されている
ことを特徴とする回転式圧縮機。
【請求項５】
請求項２または３において、
上記ピストン（22）は、自転することなく公転するように構成され、
上記連通部（91）は、上記変位ポート（P11又はP12）を有する圧縮部（C1又はC2）を構成するピストン（22）に形成されている
ことを特徴とする回転式圧縮機。
【請求項６】
請求項２または３において、
上記ピストン（22）は、自転することなく公転するように構成され、
上記連通部（91）は、上記変位ポート（P11又はP12）を有する圧縮部（C1又はC2）を構成するシリンダ（21）とピストン（22）とに形成されている
ことを特徴とする回転式圧縮機。
【請求項７】
請求項１〜６の何れか１項において、
上記圧縮機構（20）は、シリンダ（21）とピストン（22）との間に４室の環状の圧縮室（23a，…）を形成し、上記第１の圧縮部（C1）と第２の圧縮部（C2）と第３の圧縮部（C3）とに加え、上記第３の圧縮室（23c）の外側に隣接する最外周の第４の圧縮室（23d）に連通する第４の吐出ポート（P14）を有する第４の圧縮部（C4）とを備え、
上記ポート列（90）は、第２の吐出ポート（P12）と第３の吐出ポート（P13）と第４の吐出ポート（P14）とによって形成され、
上記変位ポート（P11）は、第１の吐出ポート（P11）で構成されている
ことを特徴とする回転式圧縮機。
【発明の詳細な説明】
【技術分野】
【０００１】
本発明は、偏心回転型の圧縮機構を有する回転式圧縮機に関し、流体の再圧縮対策に係るものである。
【背景技術】
【０００２】
従来より、環状のシリンダの内部に環状ピストンを配置することにより、圧縮機構に複数の圧縮室が形成された回転式圧縮機が提案されている（例えば、特許文献１，２参照）。特許文献１の圧縮機では、圧縮室が環状ピストンの内側と外側に２室形成されている。また、特許文献２の圧縮機では、圧縮室が３室形成されている。
【先行技術文献】
【特許文献】
【０００３】
【特許文献１】特開２００７−１１３４９３号公報
【特許文献２】特開２００６−３０７７６２号公報
【発明の概要】
【発明が解決しようとする課題】
【０００４】
しかしながら、上記特許文献２の圧縮機は、３室の圧縮室を形成しているので、吐出ポートも３つ形成する必要があり、当然に吐出弁も３つ設ける必要がる。
【０００５】
上記吐出ポートは、圧縮室の容積が最小となる上死点の近傍に設けることが望ましい。しかしながら、３つの吐出ポートを設ける場合、全ての吐出ポートを上死点の近傍に設けると、吐出弁が干渉することになる。
【０００６】
特に、上記特許文献１および２の圧縮機を用いてさらに効率を上げるために４室の圧縮室を形成することが考えられる。その際、４室の圧縮室を形成すると、吐出ポートも４つ形成する必要があり、当然に吐出弁も４つ設ける必要があり、より吐出弁が干渉することになる。
【０００７】
そこで、上記吐出ポートを上死点から離れた位置に設けると、吐出ポートを閉じ切った後の圧縮室で流体を再圧縮し、無効動力が発生するという問題がある。
【０００８】
本発明は、斯かる点に鑑みてなされたものであり、３室以上の圧縮室を形成した場合における無効動力の低減を図ることを目的とする。
【課題を解決するための手段】
【０００９】
第１の発明は、シリンダ（21）と、該シリンダ（21）の内部を偏心回転し且つ上記シリンダ（21）との間に３室以上の環状の圧縮室（23a，…）を径方向に形成する環状のピストン（22）と上記各圧縮室（23a，…）を吸入側と吐出側に区画するブレード（24）とを有する圧縮機構（20）を備えた回転式圧縮機である。
【００１０】
上記圧縮機構（20）は、最内周に位置する第１の圧縮室（23a）に連通する第１の吐出ポート（P11）を有する第１の圧縮部（C1）と、上記第１の圧縮室（23a）の外側に隣接する第２の圧縮室（23b）に連通する第２の吐出ポート（P12）を有する第２の圧縮部（C2）と、上記第２の圧縮室（23b）の外側に隣接する第３の圧縮室（23c）に連通する第３の吐出ポート（P13）を有する第３の圧縮部（C3）とを少なくとも備えている。
【００１１】
また、上記第１の吐出ポート（P11）および第２の吐出ポート（P12）の一方と第３の吐出ポート（P13）とがブレード（24）と平行な直線上に配置されてポート列（90）が形成されている。
【００１２】
また、上記第１の吐出ポート（P11）および第２の吐出ポート（P12）の他方は、上記ブレード（24）から上記ポート列（90）より離れた箇所に位置する変位ポートに構成されている。
【００１３】
また、上記変位ポート（P11又はP12）を有する圧縮部（C1又はC2）は、上記ピストン（22）が変位ポート（P11又はP12）を閉じ切った後に形成される圧縮室（23a又は23b）と上記変位ポート（P11又はP12）とを連通させる連通部（91）を備えている。
【００１４】
上記第１の発明では、上記ピストン（22）が変位ポート（P11又はP12）を閉じ切った後において、変位ポート（P11又はP12）の閉じ切り後に形成される圧縮室（23a又は23b）は、連通部（91）によって変位ポート（P11又はP12）に連通する。したがって、この圧縮室（23a又は23b）の流体は、連通部（91）を経て変位ポート（P11又はP12）から吐出されるので、過圧縮が起こることがなく、無効動力が抑制される。
【００１５】
第２の発明は、第１の発明において、上記連通部（91）は、少なくとも上記ピストン（22）が変位ポート（P11又はP12）を閉じ切る閉切位置から上記ブレード（24）に向かって延びる切欠部で構成された回転式圧縮機である。
【００１６】
上記第２の発明では、圧縮室（23a又は23b）の流体が切欠部で構成された連通部（91）を経て変位ポート（P11又はP12）に流れる。
【００１７】
第３の発明は、第２の発明において、上記連通部（91）は、上記ピストン（22）が少なくとも変位ポート（P11又はP12）の閉切位置から圧縮室（23a又は23b）の容量が最小となる上死点まで移動する間において上記変位ポート（P11又はP12）と上記圧縮室（23a又は23b）とを連通させるように構成された回転式圧縮機である。
【００１８】
上記第３の発明では、上記変位ポート（P11又はP12）と上記圧縮室（23a又は23b）とは、ピストン（22）が上死点に移動するまで連通しているので、過圧縮が起こることがなく、無効動力が抑制される。
【００１９】
第４の発明は、第２または３の発明において、上記連通部（91）が上記変位ポート（P11又はP12）を有する圧縮部（C1又はC2）を構成するシリンダ（21）に形成された回転式圧縮機である。
【００２０】
上記第４の発明では、上記変位ポート（P11又はP12）と上記圧縮室（23a又は23b）とは、シリンダ（21）に形成された連通部（91）によって連通する。
【００２１】
第５の発明は、第２または３の発明において、上記ピストン（22）が自転することなく公転するように構成され、上記連通部（91）が上記変位ポート（P11又はP12）を有する圧縮部（C1又はC2）を構成するピストン（22）に形成された回転式圧縮機である。
【００２２】
上記第５の発明では、上記変位ポート（P11又はP12）と上記圧縮室（23a又は23b）とは、ピストン（22）に形成された連通部（91）によって連通する。
【００２３】
第６の発明は、第２または３の発明において、上記ピストン（22）が自転することなく公転するように構成され、上記連通部（91）が上記変位ポート（P11又はP12）を有する圧縮部（C1又はC2）を構成するシリンダ（21）とピストン（22）とに形成された回転式圧縮機である。
【００２４】
上記第６の発明では、上記変位ポート（P11又はP12）と上記圧縮室（23a又は23b）とは、シリンダ（21）とピストン（22）とに形成された連通部（91）によって連通する。
【００２５】
第７の発明は、第１〜第６の発明の何れかにおいて、上記圧縮機構（20）が、シリンダ（21）とピストン（22）との間に４室の環状の圧縮室（23a，…）を形成し、上記第１の圧縮部（C1）と第２の圧縮部（C2）と第３の圧縮部（C3）とに加え、上記第３の圧縮室（23c）の外側に隣接する最外周の第４の圧縮室（23d）に連通する第４の吐出ポート（P14）を有する第４の圧縮部（C4）とを備え、上記ポート列（90）が、第２の吐出ポート（P12）と第３の吐出ポート（P13）と第４の吐出ポート（P14）とによって形成され、上記変位ポート（P11）が第１の吐出ポート（P11）で構成された回転式圧縮機である。
【００２６】
上記第７の発明では、４つの圧縮部のうち最内周の第１の圧縮部（C1）において、ピストン（22）が変位ポート（P11又はP12）を閉じ切った後に形成される圧縮室（23a又は23b）と第１の吐出ポート（P11）とが連通する。
【発明の効果】
【００２７】
本発明によれば、第１の吐出ポート（P11）または第２の吐出ポート（P12）をブレード（24）からポート列（90）より離れた箇所に配置した変位ポート（P11又はP12）に構成したので、吐出弁（88）等の干渉を確実に防止することができる。
【００２８】
また、上記第１の圧縮部（C1）または第２の圧縮部（C2）は、ピストン（22）が変位ポート（P11又はP12）を閉じ切った後に形成される圧縮室（23a又は23b）と変位ポート（P11又はP12）とを連通させる連通部（91）を備えているので、圧縮室（23a又は23b）における流体の再圧縮を確実に防止することができる。この結果、無効動力の発生を確実に防止することができると共に、流体の過圧縮を確実に防することができる。
【００２９】
また、第２の発明によれば、上記連通部（91）をブレード（24）に向かって延びる切欠部で構成しているので、簡単な構成でもって連通部（91）を形成することができる。
【００３０】
また、第３の発明によれば、上記連通部（91）は、上記ピストン（22）が少なくとも変位ポート（P11又はP12）の閉切位置から圧縮室（23a又は23b）の容量が最小となる上死点まで移動する間において上記変位ポート（P11又はP12）と上記圧縮室（23a又は23b）とを連通させるようにしたので、無効動力の発生および冷媒の過圧縮をほぼ皆無にすることができる。
【００３１】
また、第５および第６の発明によれば、上記連通部（91）をピストン（22）に形成すると、ピストン（22）が自転しないという機能を有効に利用することができる。
【００３２】
また、第７の発明によれば、最内周の第１の圧縮部（C1）における第１の吐出ポート（P11）を変位ポート（P11）にしているので、吐出弁（88）の設置スペース等の条件を緩和することができ、吐出弁（88）等の干渉を確実に防止することができる。
【図面の簡単な説明】
【００３３】
【図１】図１は、実施形態１に係る圧縮機の縦断面図である。
【図２】図２は、図１の部分拡大図である。
【図３】図３（Ａ）は、実施形態１に係る圧縮機の圧縮機構部の横断面図であり、図３（Ｂ）は、上記圧縮機の圧縮機構部の他の横断面図である。
【図４】図４は、実施形態１に係る圧縮機の他の縦断面の一部を拡大して示す図である。
【図５】図５は、実施形態１に係るブレードの拡大斜視図である。
【図６】図６は、実施形態１に係る圧縮機構部の部分拡大図である。
【図７】図７は、実施形態１に係る第１の圧縮部の部分拡大図である。
【図８】図８は、実施形態１に係る圧縮機構部の動作状態図である。
【図９】図９は、実施形態１に係る圧縮機構部の動作状態図である。
【図１０】図１０は、実施形態２に係る第１の圧縮部の部分拡大図である。
【発明を実施するための形態】
【００３４】
以下、本発明の実施形態を図面に基づいて詳細に説明する。
【００３５】
〈発明の実施形態１〉
図１に示すように、本実施形態の圧縮機（1）は、流体を圧縮する回転式圧縮機であり、全密閉型に構成されている。上記圧縮機（1）のケーシング（10）内には、第１圧縮機構部（20）と第２圧縮機構部（30）とが駆動軸（53）の軸方向に積み重ねられてなる圧縮機構（40）と、駆動機構である電動機（50）とが収納されている。上記圧縮機（1）は、例えば、空気調和装置の冷媒回路に設けられ、蒸発器から吸入した冷媒（流体）を圧縮して凝縮器へ吐出するために用いられる。
【００３６】
上記ケーシング（10）は、円筒状の胴部（11）と、該胴部（11）の両端部に固定された上部鏡板（12）および下部鏡板（13）とを備えている。
【００３７】
上記電動機（50）は、上記圧縮機構（40）よりも上方に配置され、ステータ（51）とロータ（52）とを備えている。該ステータ（51）は、ケーシング（10）の胴部（11）に固定されている。上記ロータ（52）には、駆動軸（53）が一体に連結されている。上記駆動軸（53）は、ロータ（52）の下方に延び、下部には、第１偏心部（53a）および第２偏心部（53b）が形成されている。該両第１偏心部（53a，53b）は、上記駆動軸（53）の主軸部分よりも大径に形成され、上記駆動軸（53）の軸心から所定量だけ偏心している。上記第１偏心部（53a）と上記第２偏心部（53b）とは、偏心方向が駆動軸（53）の軸心を中心として互いに１８０°ずれている。
【００３８】
上記第１圧縮機構部（20）および第２圧縮機構部（30）は上下二段に重ねられ、ケーシング（10）に固定されたフロントヘッド（16）からリアヘッド（17）までの間に構成されている。第１圧縮機構部（20）が電動機（50）側（図１の上側）に配置され、第２圧縮機構部（30）がケーシング（10）の底部側（図１の下側）に配置されている。上記フロントヘッド（16）およびリアヘッド（17）は、本体部（16a，17a）と蓋部（16b，17b）とによって構成され、フロントヘッド（16）とリアヘッド（17）の間には、ミドルプレート（19）が設けられている。
【００３９】
上記ミドルプレート（19）は、第１圧縮機構部（20）側の本体部（19a）と、該本体部（19a）の下方に重ね合わされた蓋部（19b）とを備えている。上記ミドルプレート（19）の中心部には、駆動軸（53）が貫通する貫通孔（19c）が形成されている。
【００４０】
図２から図５に示すように、上記第１圧縮機構部（20）は、ケーシング（10）に固定された第１シリンダ（21）と、駆動軸（53）の第１偏心部（53a）に取り付けられて第１シリンダ（21）の内部で偏心回転をする第１ピストン（22）と、上記第１シリンダ（21）と第１ピストン（22）との間に形成される４つの圧縮室（23a，23b，23c，23d）を高圧室（23aH，23bH，23cH，23dH）と低圧室（23aL，23bL，23cL，23dL）とに区画する第１ブレード（24）とを備えている。
【００４１】
上記第２圧縮機構部（30）は、上記第１圧縮機構部（20）とは上下に反転した状態で設けられている。上記第２圧縮機構部（30）は、ケーシング（10）の胴部（11）に固定された第２シリンダ（31）と、駆動軸（53）の第２偏心部（53b）に取り付けられて第２シリンダ（31）の内部で偏心回転をする第２ピストン（32）と、上記第２シリンダ（31）と第２ピストン（32）との間に形成される４つの圧縮室（33a，33b，33c，33d）を高圧室（33aH，33bH，33cH，33dH）と低圧室（33aL，33bL，33cL，33dL）とに区画する第２ブレード（34）とを備えている。
【００４２】
そして、上記第１シリンダ（21）および第２シリンダ（31）が固定側であり、上記第１ピストン（22）および第２ピストン（32）が可動側である。
【００４３】
上記第１シリンダ（21）は、駆動軸（53）と同心上に位置して環状空間を形成する内側シリンダ部（21a）および外側シリンダ部（21b）と、該外側シリンダ部（21b）の外周部から下方に延びる最外周シリンダ部（21c）と、内側シリンダ部（21a）および外側シリンダ部（21b）の上端部を連接し且つ上記フロントヘッド（16）の本体部（16a）で形成されるシリンダ側鏡板部（21d）とを備えている。内側シリンダ部（21a）は、円環の一部分が分断されたＣ型形状に形成され（図３（Ａ）参照）、該内側シリンダ部（21a）の分断箇所は、スライド溝（21g）に構成されている。
【００４４】
上記第２シリンダ（31）は、駆動軸（53）と同心上に位置して環状空間を形成する内側シリンダ部（31a）および外側シリンダ部（31b）と、該外側シリンダ部（31b）の外周部から上方に延伸する最外周シリンダ部（31c）と、内側シリンダ部（31a）および外側シリンダ部（31b）の下端部を連接し且つ上記リアヘッド（17）の本体部（17a）で形成されるシリンダ側鏡板部（31d）とを備えている。内側シリンダ部（21a）は円環の一部分が分断されたＣ型形状に形成され（図３（Ａ）参照）、該内側シリンダ部（31a）の分断箇所は、スライド溝（31g）に構成されている。
【００４５】
上記第１ピストン（22）は、第１偏心部（53a）に嵌合して該第１偏心部（53a）と同心上に位置する内側ピストン部（22a）と、該内側ピストン部（22a）の外周側の環状空間内で該内側ピストン部（22a）と同心上に位置する外側ピストン部（22b）と、該２つのピストン部（22a，22b）の下端部を連結するとともに外周面が内側ピストン部（22a）および外側ピストン部（22b）と同心上に位置するピストン側鏡板部（22c）とを有している。
【００４６】
上記内側ピストン部（22a）は、外周面に円弧状の凹部（n1）が形成され、外側ピストン部（22b）は円環の一部分が分断されたＣ型形状に形成されている（図３（Ａ）参照）。また、上記ピストン側鏡板部（22c）の外周部には円弧状の凹部（n2）が形成されている（図３（Ｂ）参照）。
【００４７】
上記第２ピストン（32）は、第２偏心部（53b）に嵌合して該第２偏心部（53b）と同心上に位置する内側ピストン部（32a）と、該内側ピストン部（32a）の外周側の環状空間内で該内側ピストン部（32a）と同心上に位置する外側ピストン部（32b）と、該２つのピストン部（32a，32b）の上端部を連結するとともに外周面が内側ピストン部（32a）および外側ピストン部（32b）と同心上に位置するピストン側鏡板部（32c）とを有している。
【００４８】
上記内側ピストン部（32a）は、外周面に円弧状の凹部（n1）が形成され、外側ピストン部（32b）は円環の一部分が分断されたＣ型形状に形成されている（図３（Ａ）参照）。また、上記ピストン側鏡板部（32c）の外周部には円弧状の凹部（n2）が形成されている（図３（Ｂ）参照）。
【００４９】
上記フロントヘッド（16）の本体部（16a）と上記リアヘッド（17）の本体部（17a）とには、上記駆動軸（53）を支持するための軸受部（21e，31e）が形成されている。上記駆動軸（53）は、上記第１圧縮機構部（20）および上記第２圧縮機構部（30）を上下方向に貫通している。
【００５０】
次に、上記第１、第２圧縮機構部（20，30）の内部構造について説明する。上記第１、第２圧縮機構部（20，30）は、外側ピストン部（22，32）の軸方向長さ寸法とそれに対応するシリンダ（21，31）の軸方向長さ寸法が異なる他は実質的に同一の構成である。したがって、第１圧縮機構部（20）を代表例として説明する。
【００５１】
上記第１ブレード（24）は、厚みを有する板状の長尺部（24a）および短尺部（24b）と、断面形状が略半円形状の一対の揺動ブッシュ部（24c）とを有している。
【００５２】
上記第１ブレード（24）は、上記外側ピストン部（22b）に揺動可能に連結される揺動ブッシュ部（24c）と、該揺動ブッシュ部（24c）から圧縮機構（40）の径方向内側に位置して後述する最内周圧縮室（23a）と内側圧縮室（23b）を吸入側と吐出側に区画する内側ブレード部（B1）と、上記揺動ブッシュ部（24c）から圧縮機構（40）の径方向外側に位置して後述する外側圧縮室（23c）を吸入側と吐出側に区画する外側第１ブレード部（B2）と、該外側第１ブレード部（B2）の下方に位置して後述する最外周圧縮室（23d）を吸入側と吐出側に区画する外側第２ブレード部（B3）とを備えている。そして、上記長尺部（24a）は、揺動ブッシュ部（24c）と内側ブレード部（B1）と外側第１ブレード部（B2）とから構成され、上記短尺部（24b）は、外側第２ブレード部（B3）により構成されている。上記内側ブレード部（B1）の先端は、内側ピストン部（22a）の外周面に対向し、上記外側第２ブレード部（B3）の先端は、ピストン側鏡板部（22c）の外周面に対向している。
【００５３】
上記長尺部（24a）は、シリンダ側鏡板部（21d）とピストン側鏡板部（22c）との間において径方向に長く延び、外端部が、外側シリンダ部（21b）に形成されたスライド溝（21f）に径方向（ブレードの面方向）へ摺動自在に収容されている。上記内側ブレード部（B1）は、内側シリンダ部（21a）の分断箇所に形成されているスライド溝（21g）に摺動可能に挿入され、内端は内側ピストン部（22a）の凹部（n1）に対向している。
【００５４】
上記短尺部（24b）は、長尺部（24a）とミドルプレート（19）との間において径方向に延び、最外周シリンダ部（21c）に形成されたスライド溝（21f）に径方向に摺動自在に収容されている。上記短尺部（24b）の内端は、ピストン側鏡板部（22c）の凹部（n2）に対向している。
【００５５】
上記一対の揺動ブッシュ部（24c）は、長尺部（24a）の径方向中央部付近において、長尺部（24a）の両側に膨出するように形成されている。そして、一対の揺動ブッシュ部（24c）は、外側ピストン部（22b）の分断箇所に揺動自在に収容され、外側ピストン部（22b）が第１ブレード（24）に対して揺動するように構成されている。
【００５６】
上記第１ピストン（22）は、第１偏心部（53a）の偏心回転に伴って、第１ブレード（24）に対して一対の揺動ブッシュ部（24c）の中心点を揺動中心として揺動すると共に、上記スライド溝（21f）および上記内側シリンダ部（21a）のスライド溝(21g）に沿って進退する。
【００５７】
上記内側ピストン部（22a）は、内側シリンダ部（21a）の内側に配置され、外側ピストン部（22b）は、内側シリンダ部（21a）と外側シリンダ部（21b）の間に配置されている。
【００５８】
そして、上記内側ピストン部（22a）と上記内側シリンダ部（21a）とは、該内側ピストン部（22a）と上記内側シリンダ部（21a）との間に第１の圧縮室である最内周圧縮室（23a）が形成されて第１の圧縮部（C1）を構成している。
【００５９】
また、上記内側シリンダ部（21a）と外側ピストン部（22b）とは、該内側シリンダ部（21a）の外周面と外側ピストン部（22b）の内周面との間に第２の圧縮室である内側圧縮室（23b）が形成されて第２の圧縮部（C2）を構成し、上記外側ピストン部（22b）の外周面と外側シリンダ部（21b）の内周面との間に第３の圧縮室である外側圧縮室（23c）が形成されて第３の圧縮部（C3）を構成している。
【００６０】
さらに、上記ピストン側鏡板部（22c）と最外周シリンダ部（21c）とは、該ピストン側鏡板部（22c）の外周面と最外周シリンダ部（21c）との間に第４の圧縮室である最外周圧縮室（23d）が形成されて第４の圧縮部（C4）を構成している。
【００６１】
上記第１圧縮機構部（20）と第２圧縮機構部（30）は、内側ピストン部（22a，32a）と内側シリンダ部（21a，31a）は、内側ピストン部（22a，32a）の外周面と内側シリンダ部（21a，31a）の内周面とが１点（第１接点）で接し、第１接点と位相が１８０°異なる位置で、内側シリンダ部（21a，31a）の外周面と外側ピストン部（22b，32b）の内周面とが１点（第２接点）で接し、第２接点と位相が１８０°異なる位置（第１接点と位相が同じ位置）で、外側ピストン部（22b，32b）の外周面と外側シリンダ部（21b，31b）の内周面とが１点（第３接点）で接すると共に、ピストン側鏡板部（22c，32c）の外周面と最外周シリンダ部（21c，31c）の内周面とが１点（第４接点）で接するようになっている。
【００６２】
上記第１ピストン（22）と第１シリンダ（21）の各接点（第１接点〜第４接点）は、それぞれ図８（Ａ）〜（Ｄ）、図９（Ａ）〜（Ｄ）へ順に移動する。一方、第２ピストン（32）と第２シリンダ（31）の各接点（第１接点〜第４接点）は、第１ピストン（22）と第１シリンダ（21）の対応する接点に対して駆動軸（53）の軸心回りに１８０°ずれている。つまり、駆動軸（53）の上側から見て、第１圧縮機構部（20）の動作状態が図８（Ａ）および図９（Ａ）のとき、第２圧縮機構部（30）の動作状態は図８（Ｃ）および図９（Ｃ）となる。
【００６３】
また、上記圧縮機構（40）は、８つの圧縮室（23a，…，23d，33a，…，33d）において冷媒を４段階に圧縮する４段圧縮機構に構成されている。
【００６４】
具体的には、第１圧縮機構部（20）および第２圧縮機構部（30）の最外周圧縮室（23d，33d）によって第１段圧縮機構の圧縮室が形成されている。また、第１圧縮機構部（20）の外側圧縮室（23c）と内側圧縮室（23b）とによって第２段圧縮機構の圧縮室が形成され、第２圧縮機構部（30）の外側圧縮室（33c）と内側圧縮室（33b）とによって第３段圧縮機構の圧縮室が形成されている。さらに、第１圧縮機構部（20）および第２圧縮機構部（30）の最内周圧縮室（23a，33a）によって第４段圧縮機構の圧縮室が形成されている。なお、冷媒は、第１段圧縮機構と第２段圧縮機構の間、第２段圧縮機構と第３段圧縮機構の間、そして第３段圧縮機構と第４段圧縮機構の間において、それぞれ冷却機構によって冷却される。
【００６５】
また、上記ミドルプレート（19）には、上記第１圧縮機構部（20）及び第２圧縮機構部（30）の最外周圧縮室（23d，33d）の吸入ポート（P1）及び吐出ポート（P14）がそれぞれ形成されている。上記最外周圧縮室（23d，33d）の吐出ポート（P14）は、上記第４の圧縮部（C4）における第４の吐出ポート（P14）である。
【００６６】
上記フロントヘッド（16）には、第１圧縮機構部（20）の外側圧縮室（23c）および内側圧縮室（23b）が共用する吸入ポート（P2）と、第１圧縮機構部（20）の最内周圧縮室（23a）の吸入ポート（P3）とが形成されている。吸入ポート（P2）は、第１圧縮機構部（20）の外側圧縮室（23c）および内側圧縮室（23b）に別々に設けてもよい。また、フロントヘッド（16）には、第１圧縮機構部（20）の外側圧縮室（23c）の吐出ポート（P13）と、第１圧縮機構部（20）の内側圧縮室（23b）の吐出ポート（P12）と、第１圧縮機構部（20）の最内周圧縮室（23a）の吐出ポート（P11）とが形成されている。
【００６７】
上記外側圧縮室（23c）の吐出ポート（P13）が上記第３の圧縮部（C3）における第３の吐出ポート（P13）であり、上記内側圧縮室（23b）の吐出ポート（P12）が上記第２の圧縮部（C2）における第２の吐出ポート（P12）であり、上記最内周圧縮室（23a）の吐出ポート（P11）が上記第１の圧縮部（C1）における第１の吐出ポート（P11）である。
【００６８】
上記リアヘッド（17）には、第２圧縮機構部（30）の外側圧縮室（33c）および内側圧縮室（33b）が共用する吸入ポート（P2）と、第２圧縮機構部（30）の最内周圧縮室（33a）の吸入ポート（P3）とが形成されている。吸入ポート（P2）は、第２圧縮機構部（30）の外側圧縮室（33c）および内側圧縮室（33b）に別々に設けてもよい。また、リアヘッド（17）には、第２圧縮機構部（30）の外側圧縮室（33c）の吐出ポート（P13）と、第２圧縮機構部（30）の内側圧縮室（33b）の吐出ポート（P12）と、第２圧縮機構部（30）の最内周圧縮室（33a）の吐出ポート（P11）とが形成されている。
【００６９】
上記外側圧縮室（33c）の吐出ポート（P13）が上記第３の圧縮部（C3）における第３の吐出ポート（P13）であり、上記内側圧縮室（33b）の吐出ポート（P12）が上記第２の圧縮部（C2）における第２の吐出ポート（P12）であり、上記最内周圧縮室（33a）の吐出ポート（P11）が上記第１の圧縮部（C1）における第１の吐出ポート（P11）である。
【００７０】
また、上記ミドルプレート（19）には、第１圧縮機構部（20）および第２圧縮機構部（30）の最外周圧縮室（23d，33d）の吸入ポート（P1，P1）に連通する吸入通路（71）が形成されている。
【００７１】
上記フロントヘッド（16）には、第１圧縮機構部（20）の外側圧縮室（23c）および内側圧縮室（23b）の共用の吸入ポート（P2）に連通する吸入通路（72）と、第１圧縮機構部（20）の最内周圧縮室（23a）の吸入ポート（P3）に連通する吸入通路（73）とが形成されている。
【００７２】
上記リアヘッド（17）には、第２圧縮機構部（30）の外側圧縮室（33c）および内側圧縮室（33b）の共用の吸入ポート（P2）に連通する吸入通路（74）と、第２圧縮機構部（30）の最内周圧縮室（33a）の吸入ポート（P3）に冷媒を導く吸入通路（75）とが形成されている。
【００７３】
上記各吸入通路（71，…，75）には、ケーシング（10）の外部から内部に冷媒を導く吸入管（60，…，64）がそれぞれ接続されている。
【００７４】
また、上記ミドルプレート（19）には、第１圧縮機構部（20）および第２圧縮機構部（30）の最外周圧縮室（23d，33d）の吐出ポート（P14，P14）に連通する吐出空間（81）が形成されている。
【００７５】
上記フロントヘッド（16）には、第１圧縮機構部（20）の外側圧縮室（23c）および内側圧縮室（23b）の吐出ポート（P12，P13）に連通する吐出空間（82）と、第１圧縮機構部（20）の最内周圧縮室（23a）の吐出ポート（P11）に連通する吐出空間（83）とが形成されている。吐出空間（82）は、各吐出ポート（P12，P13）に別々に設けてもよい。
【００７６】
上記リアヘッド（17）には、第２圧縮機構部（30）の外側圧縮室（33c）と内側圧縮室（33b）から冷媒が吐出される吐出空間（84）と、上記第２圧縮機構部（30）の最内周圧縮室（33a）から冷媒が吐出される吐出空間（85）とが形成されている。吐出空間（84）は、各吐出ポート（P12，P13）に別々に設けてもよい。
【００７７】
上記各吐出空間（81，…，85）は、脈動を抑制するマフラー空間部（81a，…，85a）と、該マフラー空間部（81a，…，85a）に連通する通路部（81b，…，85b）とによって形成されている。
【００７８】
上記各吐出空間（81，…，85）のマフラー空間部（81a，…，85a）には、各吐出ポート（P11，…，P14）を開閉する吐出弁（88）がそれぞれ設けられている。一方、上記各吐出空間（81，…，85）の通路部（81b，…，85b）には、吐出冷媒をケーシング（10）の外部へ導く吐出管（65，…，69）がそれぞれ接続されている。
【００７９】
次に、上記第１圧縮機構部（20）と第２圧縮機構部（30）との吐出部構造について説明する。この吐出部構造は、第１圧縮機構部（20）と第２圧縮機構部（30）とにおいて同一の構成である。したがって、第１圧縮機構部（20）を代表例として説明する。
【００８０】
上記第２の圧縮部（C2）における第２の吐出ポート（P12）と上記第３の圧縮部（C3）における第３の吐出ポート（P13）と上記第４の圧縮部（C4）における第４の吐出ポート（P14）とは、図６に示すように、平面視上において、直線上に配置されて１つのポート列（90）を形成している。該ポート列（90）は、第１ブレード（24）と平行な直線状に形成されている。
【００８１】
一方、上記第１の圧縮部（C1）における第１の吐出ポート（P11）は、第１ブレード（24）からポート列（90）より離れた箇所に位置し、つまり、最内周圧縮室（23a）の容積が最小となる上死点に対してポート列（90）より離れた箇所に位置する変位ポートに構成されている。なお、図１および図２の断面図において、第１の吐出ポート（P11）は本来図示されないが、理解の便宜のため図示している。
【００８２】
また、上述したように、上記第１の吐出ポート（P11）〜第３の吐出ポート（P13）は第１ピストン（22）の正面側に同一平面上に位置するが、第４の吐出ポート（P14）は、第１ピストン（22）の背面側に位置している。
【００８３】
そこで、上記第１の吐出ポート（P11）をポート列（90）より離れた変位ポートとした理由について説明する。
【００８４】
上記各吐出ポート（P11，…）は、本来、上死点に近い位置、つまり、第１ブレード（24）に近い位置に設けることが望ましい。しかしながら、第１圧縮機構部（20）が４つの圧縮室（23a，…）を有する場合、４つの吐出ポート（P11，…）を全て第１ブレード（24）に近い位置に設けることができない。すなわち、上記圧縮機構部（20）には、上述したように、各吐出ポート（P11，…）に対応して吐出弁（88）を設ける必要があると共に、吐出空間（81，…）を形成する必要がある。したがって、上記吐出弁（88）の干渉等を回避するためには、４つの吐出ポート（P11，…）を全て第１ブレード（24）と平行な直線上に配置することができない。特に、上記第２の吐出ポート（P12）〜第３の吐出ポート（P13）は同一平面上に配置し、且つ内周側に位置しているので、吐出弁（88）等の配置スペースが制限されることになる。
【００８５】
そこで、本実施形態では、第１の吐出ポート（P11）を図６のＡ位置から反回転方向に変位させ、ポート列（90）より離れた変位ポート（P11）としている。
【００８６】
一方、上記第１の吐出ポート（P11）をポート列（90）より離すと、他の吐出ポート（P12，…）に比して、上死点から離れることとなる。この結果、上記第１ピストン（22）が第１の吐出ポート（P11）を閉じ切った後に第１ブレード（24）との間に小容積の圧縮室（23a）が形成されることになる。この小容積の圧縮室（23a）は、例えば、第２の吐出ポート（P12）の位置に比して大きくなる。そして、この圧縮室（23a）は、圧縮に寄与しない無効空間であり、且つ過圧縮を生起することになる。
【００８７】
そこで、上記第１の圧縮部（C1）には、第１の吐出ポート（P11）を閉じ切った後の圧縮室（23a）と第１の吐出ポート（P11）とを連通する連通部（91）が形成されている。該連通部（91）は、図７に示すように、第１ピストン（22）の内周部の隅角部を切り欠いた断面矩形の切欠部で構成されている。つまり、上記連通部（91）は、第１の圧縮機構部（20）においては、第１ピストン（22）の上部隅角部に形成され、第２の圧縮機構部（30）においては、第１ピストン（22）の下部隅角部に形成されている。
【００８８】
さらに、上記連通部（91）は、第１ピストン（22）の内周面に沿って円弧状に形成され、第１ピストン（22）が第１の吐出ポート（P11）を閉じ切る閉切位置から上死点に向かって延び、凹部（n1）の近傍まで形成されている。つまり、上記連通部（91）は、第１ピストン（22）が第１の吐出ポート（P11）を閉じ切る閉切位置から上死点に移動するまでの間において、第１の吐出ポート（P11）と第１の吐出ポート（P11）の閉じ切り後の圧縮室（23a）とを連通するように構成されている。
【００８９】
なお、上記第１ピストン（22）が上死点に移動する点とは、厳密には、第１ピストン（22）と第１シリンダ（21）との接点が第１ブレード（24）の中心線に移動した点である。しかしながら、本実施形態では、実質的に無効空間が生じない点であればよいので、上記連通部（91）における第１ピストン（22）が上死点に移動する点とは、第１ピストン（22）と第１シリンダ（21）との接点が第１ブレード（24）の中心線のやや手前に移動した点も含む。
【００９０】
−運転動作−
次に、上記圧縮機（1）の運転動作について説明する。ここで、第１および第２圧縮機構部（20，30）の動作は、位相が互いに１８０°異なる状態で行われる。
【００９１】
電動機（50）を起動すると、第１圧縮機構部（20）の第１ピストン（22）は、揺動ブッシュ部（24c）の中心点を揺動中心として揺動すると共に、第１ブレード（24）と共に該第１ブレード（24）の長手方向へ進退する。これにより、第１ピストン（22）は、第１シリンダ（21）に対して自転することなく揺動しながら公転し、第１圧縮機構部（20）の４つの圧縮室（23a，23b，23c，23d）において所定の圧縮動作が行われる。
【００９２】
つまり、最内周圧縮室（23a）および外側圧縮室（23c）では、図８（Ａ）の状態から駆動軸（53）が図の右回りに回転して図８（Ｂ）〜図８（Ｄ）の状態へ変化するのに伴い、低圧室（23aL，23cL）の容積が増大し、冷媒が吸入ポート（P3，P2）から低圧室（23aL，23cL）にそれぞれ吸入される。また、駆動軸（53）が一回転して再び図８（Ａ）の状態になると、上記低圧室（23aL，23cL）への冷媒の吸入が完了する。そして、上記低圧室（23aL，23cL）は冷媒が圧縮される高圧室（23aH，23cH）となり、第１ブレード（24）を隔てて新たな低圧室（23aL，23cL）が形成される。駆動軸（53）がさらに回転すると、上記低圧室（23aL，23cL）において冷媒の吸入が繰り返される一方、高圧室（23aH，23cH）の容積が減少し、該高圧室（23aH，23cH）で冷媒が圧縮される。高圧室（23aH，23cH）の圧力が所定値となって吐出空間（83，82）との差圧が設定値に達すると、該高圧室（23aH，23cH）の冷媒の圧力によって吐出弁（88，88）が開き、冷媒が吐出空間（83，82）から吐出管（65，66）を通ってケーシング（10）から流出する。
【００９３】
また、最外周圧縮室（23d）では、図９（Ａ）の状態から駆動軸（53）が図の右回りに回転して図９（Ｂ）〜図９（Ｄ）の状態へ変化するのに伴い、低圧室（23dL）の容積が増大し、冷媒が吸入ポート（P1）から低圧室（23dL）にそれぞれ吸入される。また、駆動軸（53）が一回転して再び図９（Ａ）の状態になると、上記低圧室（23dL）への冷媒の吸入が完了する。そして、上記低圧室（23dL）は冷媒が圧縮される高圧室（23dH）となり、第１ブレード（24）を隔てて新たな低圧室（23dL）が形成される。駆動軸（53）がさらに回転すると、上記低圧室（23dL）において冷媒の吸入が繰り返される一方、高圧室（23dH）の容積が減少し、該高圧室（23dH）で冷媒が圧縮される。高圧室（23dH）の圧力が所定値となって吐出空間（81）との差圧が設定値に達すると、該高圧室（23dH）の冷媒の圧力によって吐出弁（88）が開き、冷媒が吐出空間（81）から吐出管（67）を通ってケーシング（10）から流出する。
【００９４】
一方、内側圧縮室（23b）では、図８（Ｃ）の状態から駆動軸（53）が図の右回りに回転して図８（Ｄ）〜図８（Ｂ）の状態へ変化するのに伴い、低圧室（23bL）の容積が増大し、冷媒が吸入ポート（P2）から低圧室（23bL）にそれぞれ吸入される。また、駆動軸（53）が一回転して再び図８（Ｃ）の状態になると、上記低圧室（23bL）への冷媒の吸入が完了する。そして、上記低圧室（23bL）は冷媒が圧縮される高圧室（23bH）となり、第１ブレード（24）を隔てて新たな低圧室（23bL）が形成される。駆動軸（53）がさらに回転すると、上記低圧室（23bL）において冷媒の吸入が繰り返される一方、高圧室（23bH）の容積が減少し、該高圧室（23bH）で冷媒が圧縮される。高圧室（23bH）の圧力が所定値となって吐出空間（82）との差圧が設定値に達すると、該高圧室（23bH）の冷媒の圧力によって吐出弁（88）が開き、冷媒が吐出空間（82）から吐出管（66）を通ってケーシング（10）から流出する。
【００９５】
なお、外側圧縮室（23c）と内側圧縮室（23b）とでは、冷媒の吸入開始のタイミングおよび吐出開始のタイミングがほぼ１８０°異なる。このことにより、吐出脈動が小さくなり、振動や騒音が低減される。
【００９６】
一方、第２圧縮機構部（30）では、ロータ（52）の回転が駆動軸（53）の第２偏心部（53b）を介して第２ピストン（32）に伝達され、該第２ピストン（32）は、揺動ブッシュ部（34c）の中心点を揺動中心として揺動すると共に、第２ブレード（34）と共に該第２ブレード（34）の長手方向へ進退する。これにより、第２ピストン（32）が第２シリンダ（31）に対して揺動しながら公転し、第２圧縮機構部（30）の４つの圧縮室（33a，33b，33c，33d）において所定の圧縮動作が行われる。
【００９７】
上記第２圧縮機構部（30）における圧縮動作は、実質的に第１圧縮機構部（20）の圧縮動作と同じであり、冷媒が各圧縮室（33a，33b，33c，33d）内で圧縮される。各圧縮室（33a，33b，33c，33d）において、高圧室（33aH，33bH，33cH，33dH）の圧力が所定値となって各吐出空間（85，84，84，81）との差圧が設定値に達すると、該高圧室（33aH，33bH，33cH，33dH）の冷媒の圧力によって吐出弁（88，88，88，88）が開き、冷媒が各吐出空間（85，84，84，81）から吐出管（69，68，68，67）を通ってケーシング（10）から流出する。
【００９８】
圧縮機構（40）の動作中に、冷媒は、吸入管（62）から第１段圧縮機構の圧縮室である第１圧縮機構部（20）の最外周圧縮室（23d）と第２圧縮機構部（30）の最外周圧縮室（33d）に吸入されて圧縮され、第１段圧縮機構の圧縮室から吐出管（67）を通って吐出される。第１段圧縮機構の圧縮室から吐出された冷媒は、冷却された後、吸入管（61）から第２段圧縮機構の圧縮室である第１圧縮機構部（20）の外側圧縮室（23c）と内側圧縮室（23b）に吸入されてさらに圧縮され、第２段圧縮機構の圧縮室から吐出管（66）を通って吐出される。第２段圧縮機構の圧縮室から吐出された冷媒は、冷却された後、吸入管（63）から第３段圧縮機構の圧縮室である第２圧縮機構部（30）の外側圧縮室（33c）と内側圧縮室（33b）に吸入されてさらに圧縮され、第３段圧縮機構の圧縮室から吐出管（68）を通って吐出される。第３段圧縮機構の圧縮室から吐出された冷媒は、冷却された後、吸入管（60，64）から第４段圧縮機構の圧縮室である第１圧縮機構部（20）の最内周圧縮室（23a）と第２圧縮機構部（30）の最内周圧縮室（33a）に吸入されてさらに圧縮され、第４段圧縮機構の圧縮室から吐出管（65，69）を通って吐出される。
【００９９】
第４段圧縮機構の圧縮室から吐出された冷媒は、図示していない冷媒回路の放熱器、膨張機構、蒸発器を順に流れ、再度圧縮機（1）に吸入される。そして、圧縮機（1）における圧縮行程、放熱器における放熱工程、膨張機構における膨張行程、蒸発器における蒸発行程を順に繰り返すことにより、冷凍サイクルが行われる。
【０１００】
−実施形態１の効果−
以上のように、本実施形態によれば、第１の吐出ポート（P11）を第１ブレード（24）および第２ブレード（34）からポート列（90）より離れた箇所に配置した変位ポート（P11）に構成したので、吐出弁（88）等の干渉を確実に防止することができる。
【０１０１】
また、上記第１圧縮機構部（20）および第２圧縮機構部（30）の第１の圧縮部（C1）は、第１ピストン（22）および第２ピストン（32）が変位ポート（P11）を閉じ切った後に形成される圧縮室（23a，33a）と上記第１の吐出ポート（P11）とを連通させる連通部（91）を備えているので、圧縮室（23a，33a）における冷媒の再圧縮を確実に防止することができる。この結果、無効動力の発生を確実に防止することができると共に、冷媒の過圧縮を確実に防することができる。
【０１０２】
また、上記連通部（91）を第１ブレード（24）および第２ブレード（34）に向かって延びる切欠部で構成しているので、簡単な構成でもって連通部（91）を形成することができる。
【０１０３】
また、上記連通部（91）は、上記第１ピストン（22）および第２ピストン（32）が少なくとも変位ポート（P11）の閉切位置から圧縮室（23a，33a）の容量が最小となる上死点まで移動する間において、上記変位ポート（P11）と上記圧縮室（23a，33a）とを連通させるようにしたので、無効動力の発生および冷媒の過圧縮をほぼ皆無にすることができる。
【０１０４】
また、上記連通部（91）を第１ピストン（22）および第２ピストン（32）に形成すると、第１ピストン（22）および第２ピストン（32）が自転しないという機能を有効に利用することができる。
【０１０５】
また、最内周の第１の圧縮部（C1）における第１の吐出ポート（P11）を変位ポート（P11）にしているので、吐出弁（88）の設置スペース等の条件を緩和することができ、吐出弁（88）等の干渉を確実に防止することができる。
【０１０６】
〈発明の実施形態２〉
次に、本発明の実施形態２を図面に基づいて詳細に説明する。
【０１０７】
本実施形態は、図１０に示すように、実施形態１が連通部（91）を第１ピストン（22）および第２ピストン（32）に形成したのに代えて、連通部（91）を第１シリンダ（21）および第２シリンダ（31）に形成したものである。
【０１０８】
具体的に、図１０に示すように、上記第１圧縮機構部（20）および第２圧縮機構部（30）において、上記第１の圧縮部（C1）には、第１の吐出ポート（P11）を閉じ切った後の圧縮室（23a，33a）と第１の吐出ポート（P11）とを連通する連通部（91）が形成されている。該連通部（91）は、第１シリンダ（21）および第２シリンダ（31）の内周部の隅角部を切り欠いた断面矩形の切欠部で構成されている。つまり、上記連通部（91）は、第１の圧縮機構部（20）においては、第１シリンダ（21）の上部隅角部に形成され、第２の圧縮機構部（30）においては、第２シリンダ（31）の下部隅角部に形成されている。
【０１０９】
上記連通部（91）は、第１シリンダ（21）および第２シリンダ（31）の内周面に沿って円弧状に形成され、第１ピストン（22）および第２ピストン（32）が第１の吐出ポート（P11）を閉じ切る閉切位置から上死点に向かって延び、凹部（n1）に対応する位置の近傍まで形成されている。つまり、上記連通部（91）は、第１ピストン（22）および第２ピストン（32）が第１の吐出ポート（P11）を閉じ切る閉切位置から上死点に移動するまでの間において、第１の吐出ポート（P11）と第１の吐出ポート（P11）の閉じ切り後の圧縮室（23a，33a）とを連通するように構成されている。
【０１１０】
その他の構成、作用および効果は、実施形態１と同様である。
【０１１１】
〈その他の実施形態〉
本発明は、上記実施形態１について、以下のような構成としてもよい。
【０１１２】
上記連通部（91）において、第１ブレード（24）および第２ブレード（34）側の終端は、凹部（n1）の近傍まで形成したが、ポート列（90）の線の近傍までもよい。この連通部（91）によって、他の第２の吐出ポート（P12）等と同じ効果を奏する。
【０１１３】
また、上記連通部（91）は、ピストン（22）とシリンダ（21）との双方に形成してもよい。上記連通部（91）をピストン（22）とシリンダ（21）とに形成すると、連通面積を大きくすることができるので、無効動力の発生をより確実に防止することができると共に、冷媒の過圧縮をより確実に防することができる。
【０１１４】
また、上記圧縮機（1）は、第１圧縮機構部（20）と第２圧縮機構部（30）の何れか一方のみを備えているものであってもよい。
【０１１５】
また、上記圧縮機（1）は、第１の吐出ポート（P11）を変位ポートに構成したが、上記圧縮機（1）は、第２の吐出ポート（P12）を変位ポートに構成し、上記第２の圧縮部（C2）に連通部（91）を形成してもよい。
【０１１６】
また、上記圧縮機（1）は、３つの圧縮室（23a，…）を備えたものでもよく、つまり、第１の圧縮部（C1）と第２の圧縮部（C2）と第３の圧縮部（C3）を備えたものであってもよい。
【０１１７】
また、上記圧縮機（1）は、第４の吐出ポート（P14）をミドルプレート（19）側に設けたが、フロントヘッド（16）およびリアヘッド（17）に設けてもよい。
【０１１８】
尚、以上の実施形態は、本質的に好ましい例示であって、本発明、その適用物、あるいはその用途の範囲を制限することを意図するものではない。
【産業上の利用可能性】
【０１１９】
以上説明したように、本発明は、
について有用である。
【符号の説明】
【０１２０】
１              圧縮機（回転式圧縮機）
２０，３０      圧縮機構
２１，３１      シリンダ
２２，３２      ピストン
２３，３３      圧縮室
２４，３４      ブレード
９０            ポート列
９１            連通部
Ｃ１〜Ｃ４      圧縮部
Ｐ１１〜Ｐ１４  吐出ポート
【図１】
0005668556.tif 000002
【図２】
0005668556.tif 000003
【図３】
0005668556.tif 000004
【図４】
0005668556.tif 000005
【図５】
0005668556.tif 000006
【図６】
0005668556.tif 000007
【図７】
0005668556.tif 000008
【図８】
0005668556.tif 000009
【図９】
0005668556.tif 000010
【図１０】
0005668556.tif 000011